(57)【要約】【課題】取得漏れを生じさせることなく、充分に短い時間間隔で測定値データを取得可能な処理条件を確実かつ容易に設定可能とする。【解決手段】通信ネットワークを介して接続された測定装置から測定値データを取得するデータ取得処理を予め指定された時間間隔で繰り返し実行する処理部を備えたデータ処理装置であって、処理部は、予め規定された開始条件が満たされたときに（ステップ５３）、予め規定されたデータを測定装置から取得して予め規定されたデータの取得に要した第１の時間を計測する第１の処理をＮ回実行し（ステップ５４，５５）、かつＮ回の第１の処理によって計測された各第１の時間のうちの最短時間に予め規定された加算時間を加算して第２の時間を演算する第２の処理を実行すると共に（ステップ５６）、予め指定された時間間隔として指定可能な時間間隔の最短時間として第２の時間を報知する報知処理を実行する（ステップ５７）。【選択図】図２
2020003902.tif 000002
【特許請求の範囲】
【請求項１】
通信ネットワークを介して接続された測定装置から測定値データを取得するデータ取得処理を予め指定された時間間隔で繰り返し実行する処理部を備えたデータ処理装置であって、
前記処理部は、予め規定された開始条件が満たされたときに、予め規定されたデータを前記測定装置から取得して当該予め規定されたデータの取得に要した第１の時間を計測する第１の処理をＮ回（Ｎは、予め規定された２以上の自然数）実行し、かつＮ回の前記第１の処理によって計測された前記各第１の時間のうちの最短時間に予め規定された加算時間を加算して第２の時間を演算する第２の処理を実行すると共に、前記予め指定された時間間隔として指定可能な時間間隔の最短時間として前記第２の時間を報知する報知処理を実行するデータ処理装置。
【請求項２】
前記処理部は、前記第１の処理において、前記測定装置に対して前記予め規定されたデータの送信を要求した時点から、当該測定装置からの当該予め規定されたデータを受信した時点までの時間を前記第１の時間として計測する請求項１記載のデータ処理装置。
【請求項３】
前記処理部は、前記第２の処理において、前記最短時間のＭ倍（Ｍは、予め規定された正の整数）の時間と予め規定された第３の時間との合計時間を前記加算時間として前記第２の時間を演算する請求項１または２記載のデータ処理装置。
【請求項４】
前記１から３のいずれかに記載のデータ処理装置と前記測定装置とを備えて構成されている測定システム。
【請求項５】
通信ネットワークを介して接続された測定装置から測定値データを取得するデータ取得処理を予め指定された時間間隔で繰り返し実行する処理部を備えたデータ処理装置の当該処理部に当該データ取得処理を実行させるデータ処理用プログラムであって、
予め規定された開始条件が満たされたときに、予め規定されたデータを前記測定装置から取得して当該予め規定されたデータの取得に要した第１の時間を計測する第１の処理をＮ回（Ｎは、予め規定された２以上の自然数）実行し、かつＮ回の前記第１の処理によって計測された前記各第１の時間のうちの最短時間に予め規定された加算時間を加算して第２の時間を演算する第２の処理を実行すると共に、前記予め指定された時間間隔として指定可能な時間間隔の最短時間として前記第２の時間を報知する報知処理を前記処理部に実行させるデータ処理用プログラム。
【請求項６】
前記第１の処理において、前記測定装置に対して前記予め規定されたデータの送信を要求した時点から、当該測定装置から送信された当該予め規定されたデータを受信した時点までの時間を前記第１の時間として前記処理部に計測させる請求項５記載のデータ処理用プログラム。
【請求項７】
前記第２の処理において、前記最短時間のＭ倍（Ｍは、予め規定された正の整数）の時間と予め規定された第３の時間との合計時間を前記加算時間として前記処理部に前記第２の時間を演算させる請求項５または６記載のデータ処理用プログラム。
【発明の詳細な説明】
【技術分野】
【０００１】
本発明は、通信ネットワークを介して接続された測定装置から測定値データを繰り返し取得する処理部を備えたデータ処理装置、そのようなデータ処理装置を備えた測定システム、およびデータ処理装置の処理部に測定値データを取得させるデータ処理用プログラムに関するものである。
【背景技術】
【０００２】
例えば、下記の特許文献には、回転機械などの診断対象に設置された振動センサからの振動信号を入力して振動データを収集する複数のデータ収集装置と、通信回線（ＬＡＮ）を介して接続された各データ収集装置に対するサンプリング時間やサンプリング周波数の指示、各データ収集装置から送信される振動データの受信、および受信した振動データに基づく診断対象の異常診断を実行可能な監視用ＰＣとを備えて構成された診断装置の発明が開示されている。
【０００３】
この診断装置による診断対象の異常診断に際しては、まず、監視用ＰＣのモニタにサンプリング条件入力画面を表示させた状態でキーボードを操作することにより、サンプリング時間やサンプリング周波数などのサンプリング条件（測定条件）を各データ収集装置における各振動センサ毎にそれぞれ入力する。次いで、入力を完了したサンプリング条件についての送信指示を行う。この際には、監視用ＰＣから通信回線を介してサンプリング条件が各データ収集装置に対して送信され、データ収集装置で、受信されたサンプリング条件がサンプリング処理回路に伝送される。これにより、各データ収集装置による振動データの収集を開始する準備が整う。
【０００４】
続いて、監視用ＰＣを操作して診断処理手段の開始を指示する。この際には、上記のように設定されたサンプリング条件に従って各データ収集装置毎に振動信号のサンプリング（振動データの生成）が実行され、生成された振動データが通信回線を介して監視用ＰＣに対して順次送信される。また、監視用ＰＣでは、各データ収集装置から送信される振動データが記憶手段に記憶されると共に、記憶された振動データの解析処理が実行される。これにより、診断対象の異常の有無が診断される。
【先行技術文献】
【特許文献】
【０００５】
【特許文献１】特開２０１１−０２７４５２号公報（第７−１７頁、第１−１５図）
【発明の概要】
【発明が解決しようとする課題】
【０００６】
ところが、上記特許文献に開示の診断装置には、以下のような解決すべき問題点が存在する。具体的には、上記の診断装置では、各振動センサ毎のサンプリング条件を予め設定して各データ収集装置に振動信号のサンプリング（振動データの生成）を実行させると共に、監視用ＰＣにおいて各データ収集装置から送信される振動データに基づく診断対象の異常診断を実行する構成が採用されている。
【０００７】
この場合、上記特許文献に開示の診断装置では、各データ収集装置における各振動センサ毎に最適なサンプリング条件を別個に設定可能としたことにより、監視用ＰＣが、診断に適した振動データに基づいて診断対象の異常の有無を好適に診断することが可能となっている。これにより、処理開始に先立って充分に短いサンプリング周期をサンプリング条件として設定しておくことで、診断対象の状態の変化を細かく分析して、高精度な異常診断を行うことが可能となっている。
【０００８】
一方、上記の診断装置のように、測定値データ（診断装置における振動データ）を生成する測定装置（診断装置におけるデータ収集装置）、および生成された測定値データに基づく各種のデータ処理を行うデータ処理装置（診断装置における監視用ＰＣ）を備えた測定システムにおいては、測定装置において測定値データの生成が開始されてからデータ処理装置によってその測定値データが受信されるまでに要する時間（以下、「要データ取得時間」ともいう）が、測定値データを送受信する通信ネットワーク（通信回線）の種類および稼働状態や、測定値データのデータ形式などに応じて変化する。
【０００９】
具体的には、測定装置およびデータ処理装置が複数のネットワークを介して接続されているときには、測定装置およびデータ処理装置が単一のネットワーク内に設置されているとき（例えば同一のハブに接続されているとき）と比較して要データ取得時間が長くなる。また、例えば、他の通信装置による通信に起因して通信ネットワークが輻輳状態となっているときにも要データ取得時間が長くなる。さらに、バイナリ形式の測定値データと比較して１サンプリング値当りのデータ長（データサイズ）が比較的大きいテキスト形式の測定値データを送受信するときにも、要データ取得時間が長くなる。
【００１０】
したがって、上記特許文献に開示の診断装置において、監視用ＰＣにおける診断対象の異常診断をリアルタイムに行うとき（各データ収集装置による振動データの生成および送信と、監視用ＰＣによる振動データの受信および解析とを並行して実行するとき）には、監視用ＰＣにおいて振動データの取得漏れが生じることがないように、振動信号のサンプリング周期（振動データの生成および送信の周期）を、診断装置の使用環境における要データ取得時間よりも長い時間間隔に設定する必要がある。
【００１１】
この場合、診断装置の使用環境における要データ取得時間がどの程度の時間であるかを正確に予測するのは極めて困難である。したがって、上記の診断装置によって異常診断をリアルタイムに行うときには、例えば、使用者の過去の作業経験において振動データの取得漏れが生じなかったサンプリング周期の時間間隔に対して充分なマージンを加えた周期をサンプリング条件として指定する必要がある。このため、上記の診断装置には、実際の要データ取得時間よりも過剰に長い時間間隔で生成・送信された振動データに基づく異常診断が行われることになり、一層高精度な異常診断の実行が困難となるという問題点が存在する。
【００１２】
なお、上記の診断装置においても、監視用ＰＣにおいて振動データの取得漏れが生じるか否かを確認しながらサンプリング周期（振動データの生成・送信の周期）を変更する作業を複数回実行することで、充分に短い周期で生成された振動データに基づく高精度な異常診断をリアルタイムに実行することが可能となる。しかしながら、サンプリング周期の変更（最適なサンプリング周期の設定）に要する時間の分だけ、診断対象の異常診断に要する時間が長くなるという新たな問題が発生する。
【００１３】
本発明は、かかる解決すべき問題点に鑑みてなされたものであり、測定値データの取得漏れを生じさせることなく、充分に短い時間間隔で測定値データを取得可能な処理条件を確実かつ容易に設定し得るデータ処理装置、測定システムおよびデータ処理用プログラムを提供することを主目的とする。
【課題を解決するための手段】
【００１４】
上記目的を達成すべく、請求項１記載のデータ処理装置は、通信ネットワークを介して接続された測定装置から測定値データを取得するデータ取得処理を予め指定された時間間隔で繰り返し実行する処理部を備えたデータ処理装置であって、前記処理部は、予め規定された開始条件が満たされたときに、予め規定されたデータを前記測定装置から取得して当該予め規定されたデータの取得に要した第１の時間を計測する第１の処理をＮ回（Ｎは、予め規定された２以上の自然数）実行し、かつＮ回の前記第１の処理によって計測された前記各第１の時間のうちの最短時間に予め規定された加算時間を加算して第２の時間を演算する第２の処理を実行すると共に、前記予め指定された時間間隔として指定可能な時間間隔の最短時間として前記第２の時間を報知する報知処理を実行する。
【００１５】
また、請求項２記載のデータ処理装置は、請求項１記載のデータ処理装置において、前記処理部は、前記第１の処理において、前記測定装置に対して前記予め規定されたデータの送信を要求した時点から、当該測定装置からの当該予め規定されたデータを受信した時点までの時間を前記第１の時間として計測する。
【００１６】
さらに、請求項３記載のデータ処理装置は、請求項１または２記載のデータ処理装置において、前記処理部は、前記第２の処理において、前記最短時間のＭ倍（Ｍは、予め規定された正の整数）の時間と予め規定された第３の時間との合計時間を前記加算時間として前記第２の時間を演算する。
【００１７】
また、請求項４記載の測定システムは、前記１から３のいずれかに記載のデータ処理装置と前記測定装置とを備えて構成されている。
【００１８】
また、請求項５記載のデータ処理用プログラムは、通信ネットワークを介して接続された測定装置から測定値データを取得するデータ取得処理を予め指定された時間間隔で繰り返し実行する処理部を備えたデータ処理装置の当該処理部に当該データ取得処理を実行させるデータ処理用プログラムであって、予め規定された開始条件が満たされたときに、予め規定されたデータを前記測定装置から取得して当該予め規定されたデータの取得に要した第１の時間を計測する第１の処理をＮ回（Ｎは、予め規定された２以上の自然数）実行し、かつＮ回の前記第１の処理によって計測された前記各第１の時間のうちの最短時間に予め規定された加算時間を加算して第２の時間を演算する第２の処理を実行すると共に、前記予め指定された時間間隔として指定可能な時間間隔の最短時間として前記第２の時間を報知する報知処理を前記処理部に実行させる。
【００１９】
また、請求項６記載のデータ処理用プログラムは、請求項５記載のデータ処理用プログラムにおいて、前記第１の処理において、前記測定装置に対して前記予め規定されたデータの送信を要求した時点から、当該測定装置から送信された当該予め規定されたデータを受信した時点までの時間を前記第１の時間として前記処理部に計測させる。
【００２０】
さらに、請求項７記載のデータ処理用プログラムは、請求項５または６記載のデータ処理用プログラムにおいて、前記第２の処理において、前記最短時間のＭ倍（Ｍは、予め規定された正の整数）の時間と予め規定された第３の時間との合計時間を前記加算時間として前記処理部に前記第２の時間を演算させる。
【発明の効果】
【００２１】
請求項１記載のデータ処理装置では、処理部が、通信ネットワークを介して接続された測定装置から測定値データを取得するデータ取得処理の開始に先立ち、予め規定された開始条件が満たされたときに、予め規定されたデータを測定装置から取得して予め規定されたデータの取得に要した第１の時間を計測する第１の処理をＮ回実行し、かつＮ回の第１の処理によって計測された各第１の時間のうちの最短時間に予め規定された加算時間を加算して第２の時間を演算する第２の処理を実行すると共に、予め指定された時間間隔として指定可能な時間間隔の最短時間として第２の時間を報知する報知処理を実行する。また、請求項４記載の測定システムでは、上記のデータ処理装置と測定装置とを備えて構成されている。また、請求項５記載のデータ処理用プログラムでは、上記の各処理をデータ処理装置の処理部に実行させる。
【００２２】
したがって、請求項１記載のデータ処理装置、請求項４記載の測定システム、および請求項５記載のデータ処理用プログラムによれば、Ｎ回の第１の処理によって計測された各第１の時間（要データ取得時間）のうちの最短時間、すなわち、実際の使用環境において実際に「予め規定されたデータ」を取得することができた最短時間である第１の時間に基づいて演算された第２の時間が報知され、この第２の時間に基づいてデータ取得処理の実行時間間隔を設定することができるため、必要以上に大きなマージンが加算された実行時間間隔が指定される事態を好適に回避することができる。また、この種の装置の使用に不慣れな者であっても、充分に短い実行時間間隔を確実かつ容易に指定することができる。これにより、測定値データの取得漏れを生じさせることなく、充分に短い時間間隔で測定値データを取得可能な処理条件を確実かつ容易に設定させることができる。
【００２３】
また、請求項２記載のデータ処理装置では、処理部が、第１の処理において、測定装置に対して予め規定されたデータの送信を要求した時点から、測定装置からの予め規定されたデータを受信した時点までの時間を第１の時間として計測する。したがって、請求項２記載のデータ処理装置、そのようなデータ処理装置を備えた測定システム、およびそのような処理を処理部に実行させるデータ処理用プログラムによれば、設定した処理条件に従って実行されるデータ取得処理に際してデータ処理装置の処理部が測定装置に対して「予め規定されたデータ」の送信を要求する制御コマンドを送信する構成を採用しているときに、この制御コマンドのデータ処理装置から測定装置への送信に要する時間を含んだ第１の時間が計測されて第２の時間が演算されるため、使用環境毎の制御コマンドの送信に要する時間が考慮された的確な実行時間間隔を確実かつ容易に設定させることができる。
【００２４】
さらに、請求項３記載のデータ処理装置では、処理部が、第２の処理において、最短時間のＭ倍の時間と予め規定された第３の時間との合計時間を加算時間として第２の時間を演算する。したがって、請求項３記載のデータ処理装置、そのようなデータ処理装置を備えた測定システム、およびそのような処理を処理部に実行させるデータ処理用プログラムによれば、Ｎ回の第１の処理によって計測された各第１の時間のうちの最短時間に対して、一義的に定めた時間を加算時間として加算して第２の時間を演算する構成とは異なり、実際に計測された第１の時間のＭ倍の時間を加算時間の一部として第２の時間を演算している分だけ、使用環境の実状に即した的確な第２の時間を演算して報知することができる。
【図面の簡単な説明】
【００２５】
【図１】測定システム１００の構成を示す構成図である。
【図２】データ処理装置３の処理部３５によって実行される処理条件設定処理５０のフローチャートである。
【発明を実施するための形態】
【００２６】
以下、データ処理装置、測定システムおよびデータ処理用プログラムの実施の形態について、添付図面を参照して説明する。
【００２７】
図１に示す測定システム１００は、「測定システム」の一例であって、複数の測定装置１ａ〜１ｎ，２ａ〜２ｎおよびデータ処理装置３を備えて構成されている。
【００２８】
測定装置１ａ〜１ｎ（「測定装置」の一例：以下、単に「測定装置１」ともいう）は、予め設定された測定条件に従って任意の被測定量（電流値、電圧値、抵抗値、電力値、位相、温度、湿度、歪み、輝度（光度）、照度、雨量および流量などの各種パラメータ）を測定し、その測定値を示す測定値データＤ１１ａ〜Ｄ１１ｎ（「測定値データ」の一例：以下、単に「測定値データＤ１１」ともいう）を生成可能に構成されている。この測定装置１は、ブロードバンドルータ１１を中心に構成されたＬＡＮ１０などのネットワークに接続可能なネットワーク通信対応機器であって、生成した測定値データＤ１１を他のネットワーク通信対応機器（本例では、データ処理装置３）に対して送信することができるように構成されている。
【００２９】
この場合、本例の測定装置１は、上記の被測定量の測定に使用可能な測定チャンネルの数や、各測定チャンネル毎に測定可能な被測定量の種類などを特定可能な機器データＤ０１ａ〜Ｄ０１ｎ（以下、単に「機器データＤ０１」ともいう）を記憶しており、外部装置（例えばデータ処理装置３）からの送信要求に応じて機器データＤ０１を送信することができるように構成されている。
【００３０】
測定装置２ａ〜２ｎ（「測定装置」の他の一例：以下、単に「測定装置２」ともいう）は、上記の測定装置１と同様にして、予め設定された測定条件に従って任意の被測定量を測定し、その測定値を示す測定値データＤ１２ａ〜Ｄ１２ｎ（「測定値データ」の他の一例：以下、単に「測定値データＤ１２」ともいう）を生成可能に構成されている。この測定装置２は、ブロードバンドルータ２１を中心に構成されたＬＡＮ２０などに接続可能なネットワーク通信対応機器であって、生成した測定値データＤ１２を他のネットワーク通信対応機器（本例では、データ処理装置３）に対して送信することができるように構成されている。
【００３１】
また、本例の測定装置２は、前述の測定装置１と同様にして、上記の被測定量の測定に使用可能な測定チャンネルの数や、各測定チャンネル毎に測定可能な被測定量の種類などを特定可能な機器データＤ０２ａ〜Ｄ０２ｎ（以下、単に「機器データＤ０２」ともいう）を記憶しており、外部装置（例えばデータ処理装置３）からの送信要求に応じて機器データＤ０２を送信することができるように構成されている。
【００３２】
この場合、上記のブロードバンドルータ１１，２１は、インターネットＮを介して相互に通信可能にそれぞれインターネットＮに接続されている。このブロードバンドルータ１１，２１については、測定システム１００専用の機器として設置した機器だけでなく、測定装置１，２およびデータ処理装置３などの設置場所に予め設置されている機器を利用することもできる。つまり、上記のＬＡＮ１０，２０については、測定システム１００の運用を目的として設置した専用のネットワークに限定されず、測定システム１００の運用以外の目的で設置されている既存のネットワークを利用することもできる。
【００３３】
データ処理装置３は、「データ処理装置」に相当し、一例として、「データ処理用プログラム」の一例であるデータ処理用プログラムＤｐがインストールされた汎用のデータ処理端末（パーソナルコンピュータやタブレット端末など）で構成されている。このデータ処理装置３は、通信部３１、データストレージ３２、操作部３３、表示部３４、処理部３５および記憶部３６を備えて構成されている。
【００３４】
通信部３１は、ＬＡＮ１０などの通信ネットワークに接続可能なネットワーク通信アダプタで構成されて、処理部３５の制御下で通信ネットワークを介しての各種データの受信および送信を実行する。データストレージ３２は、ＨＤＤやＳＳＤなどの大容量記憶媒体で構成され、処理部３５の制御下で各種のデータを記録する。この場合、本例のデータ処理装置３（測定システム１００）では、前述のデータ処理用プログラムＤｐ、測定装置１，２から送信される機器データＤ０１，Ｄ０２および測定値データＤ１１，Ｄ１２、並びに後述するように処理部３５によって生成される処理条件データＤ２１ａ〜Ｄ２１ｎ（以下、単に「処理条件データＤ２１」ともいう）および処理条件データＤ２２ａ〜Ｄ２２ｎ（以下、単に「処理条件データＤ２２」ともいう）などがこのデータストレージ３２に記録される。
【００３５】
操作部３３は、マウスやタッチパネルなどのポインティングデバイスやキーボードを備え、これらに対する操作に応じた操作信号を処理部３５に出力する。表示部３４は、処理部３５の制御下で各種の表示画面を表示する。
【００３６】
処理部３５は、データ処理装置３を総括的に制御する。この処理部３５は、「処理部」の一例であって、後述するように使用者によって指定される条件に従って各測定装置１，２から測定値データＤ１１，Ｄ１２を取得する「データ取得処理」の処理条件（どのようなデータ形式の測定値データＤ１１，Ｄ１２を、どのような周期で取得するか）を記録した処理条件データＤ２１，Ｄ２２を生成する。また、処理部３５は、処理条件データＤ２１に従い、測定値データＤ１１の送信を要求する制御コマンドを測定装置１に対してＬＡＮ１０を介して送信すると共に、処理条件データＤ２２に従い、測定値データＤ１２の送信を要求する制御コマンドを測定装置２に対してＬＡＮ１０、インターネットＮおよびＬＡＮ２０を介して送信する。
【００３７】
さらに、処理部３５は、ＬＡＮ１０を介して各測定装置１から送信される測定値データＤ１１や、ＬＡＮ２０、インターネットＮおよびＬＡＮ１０を介して各測定装置２から送信される測定値データＤ１２を受信してデータストレージ３２に記憶させると共に（「データ取得処理」の一例）、その測定値データＤ１１，Ｄ１２に記録されている測定値を表示部３４に表示させる。なお、この処理部３５による各処理の具体的な内容については、後に詳細に説明する。記憶部３６は、処理部３５の演算結果を一次的に記憶する。
【００３８】
次に、測定システム１００（各測定装置１，２およびデータ処理装置３）の使用方法について、添付図面を参照して説明する。
【００３９】
なお、データ処理装置３へのデータ処理用プログラムＤｐのインストール作業、および各測定装置１，２やデータ処理装置３の設置作業（各測定装置１，２の測定対象への接続作業や、各測定装置１，２およびデータ処理装置３のブロードバンドルータ１１，２１への接続作業など）については既に完了しており、各測定装置１，２に電源が投入された状態となっているものとする。また、測定システム１００の実際の運用時には、各測定装置１およびデータ処理装置３の間や各測定装置２およびデータ処理装置３の間のデータ通信を許容する通信設定が必要となるが、測定システム１００の構成に関する理解を容易とするために、この通信設定の作業に関する説明については省略する。
【００４０】
上記のように設置を完了して電源が投入された状態の測定装置１，２においては、予め設定された動作条件に従って任意の被測定量についての測定処理が継続的に実行されている。このような状態で、各測定装置１，２による測定処理の測定結果をデータ処理装置３によって取得する際には、まず、データ処理装置３の操作部３３を操作してデータ処理用プログラムＤｐを起動させる。
【００４１】
この際に、処理部３５は、データ処理用プログラムＤｐに従い、測定値データＤ１１，Ｄ１２を取得する「データ取得処理」の条件を設定するための処理条件設定画面（図示せず）を表示部３４に表示させる。この際には、使用者によって予め登録された測定装置１，２が処理条件設定画面内に一覧表示される。次いで、測定値データＤ１１，Ｄ１２を取得する「データ取得処理」の処理条件に関する設定を各測定装置１，２毎に行う。なお、処理条件の設定手順について、各測定装置１，２において共通のため、以下、一例として、測定装置１ａから測定値データＤ１１ａを取得する「データ取得処理」の処理条件に関する設定作業を例に挙げて説明する。
【００４２】
具体的には、操作部３３を操作することにより、一覧表示されている装置のなかから測定装置１ａを選択する。この際に、処理部３５は、データ処理用プログラムＤｐに従って図２に示す処理条件設定処理５０を開始する。この処理条件設定処理５０において、処理部３５は、まず、通信部３１から測定装置１ａに対して機器データＤ０１ａの送信を要求する制御コマンドを送信する（ステップ５１）。また、データ処理装置３からＬＡＮ１０を介して送信された制御コマンドを受信した測定装置１ａでは、使用可能な測定チャンネルについての情報（各測定チャンネル毎に測定可能な被測定量の種類、および生成可能な測定値データＤ１１ａの種類等）を特定可能な機器データＤ０１ａをデータ処理装置３に対して送信する。
【００４３】
また、データ処理装置３では、処理部３５が、測定装置１ａからＬＡＮ１０を介して送信された機器データＤ０１ａが通信部３１によって受信されたときに、機器データＤ０１ａに基づいて特定される各種の機器情報を一覧表示における測定装置１ａに対応する表示領域内に表示させる。これにより、測定装置１ａにおいて使用可能な測定チャンネル、その測定チャンネルによって測定可能な被測定量の種類、およびその測定チャンネルでの測定結果を示す測定値データＤ１１ａとして指定可能なデータ形式の種類などが表示部３４に表示される（ステップ５２）。
【００４４】
次いで、処理部３５は、使用者によっていずれかの測定チャンネルが選択されたか否かを監視し（ステップ５３）、操作部３３の操作によって一覧表示内のいずれかの測定チャンネル（一例として、「ｃｈ１」との測定チャンネル）が選択されたときに「予め規定された開始条件」が満たされたと判別して、測定装置１ａの「ｃｈ１」による測定結果を示す測定値データＤ１１ａを測定装置１ａから取得する（ステップ５４）。
【００４５】
具体的には、処理部３５は、測定装置１ａに対して、使用者が選択した「ｃｈ１」による測定結果を示す測定値データＤ１１ａの送信を要求する制御コマンドを送信すると共に、測定値データＤ１１ａの取得に要する時間（「第１の時間」の一例）の計測を開始する。一方、データ処理装置３から送信された制御コマンドを受信した測定装置１ａでは、制御コマンドを受信した時点における「ｃｈ１」の測定結果を示す測定値データＤ１１ａ（「予め規定されたデータ」の一例）を生成してデータ処理装置３に送信する。
【００４６】
また、データ処理装置３では、処理部３５が、測定装置１ａから送信された測定値データＤ１１ａが通信部３１によって受信されたときに、測定値データＤ１１ａの取得に要する時間（第１の時間）の計測を終了する。これにより、測定装置１ａに対して測定値データＤ１１ａの送信を要求する制御コマンドを送信した時点（「測定装置に対して予め規定されたデータの送信を要求した時点」の一例）から、測定値データＤ１１ａが通信部３１によって受信された時点（「測定装置からの予め規定されたデータを受信した時点」の一例）までの「第１の時間」が「測定値データＤ１１ａの取得に要する時間」として計測されて記憶部３６に記憶される。
【００４７】
なお、本例では、上記のステップ５４における一連の処理、すなわち、測定装置１ａに対する制御コマンドの送信、および「第１の時間」の計測の開始から、測定値データＤ１１ａの通信部３１による受信、および「第１の時間」の計測の終了までの一連の処理が１回の「第１の処理」に相当する。この場合、本例のデータ処理装置３（データ処理用プログラムＤｐ）では、この「第１の処理」をＮ＝５回繰り返して実行する。具体的には、処理部３５は、ステップ５４の処理（第１の処理）の実行回数が、規定回数の５回に達したか否かを判別し（ステップ５５）、規定回数に達していないときには、上記のステップ５４の処理を再び実行する。これにより、本例では、測定装置１ａにおける「ｃｈ１」による測定結果を示す測定値データＤ１１ａの取得に要した５回分の「第１の時間」が記憶部３６に記憶される。
【００４８】
なお、「第１の処理」の実行回数については、上記の例におけるＮ＝５回に限定されず、Ｎ＝２回以上の任意の複数回（Ｎの値＝２以上の自然数）とすることができる。しかしながら、「第１の処理」の実行回数が少な過ぎると、例えば、「要データ取得時間」が突発的に長くなった特異な「第１の時間」が計測されたときに、後述する「第２の時間」の演算に際して、その特異な「第１の時間」の影響が大きくなり過ぎて的確な「第２の時間」を報知するのが困難となるおそれがある。また、「第１の処理」の実行回数が多過ぎると、Ｎ回の「第１の処理」（Ｎ回分の「第１の時間」の計測）に要する時間が長時間となり、「データ取得処理」を迅速に開始するのが困難となる。したがって、「第１の処理」の実行回数については、Ｎ＝３回からＮ＝７回の範囲内の回数とするのが好ましい。
【００４９】
一方、ステップ５４の処理の実行回数がＮ＝５回に達したときに、処理部３５は、データ処理用プログラムＤｐに従い、測定装置１ａから測定値データＤ１１ａを取得する「データ取得処理」の周期（「予め指定された時間間隔」の一例）として指定可能な時間間隔の最短時間を、記憶部３６に記憶されているＮ＝５回分の「第１の時間」（Ｎ回の「第１の処理」によって計測された「各第１の時間」）に基づいて決定する（ステップ５６）。
【００５０】
具体的には、処理部３５は、まず、Ｎ＝５回分の「第１の時間」のうちの最短時間を特定する。この場合、一例として、上記のＮ＝５回の「第１の処理（ステップ５４の処理）」のうちの１回目に計測された「第１の時間」が「８０ｍｓ」で、２回目に計測された「第１の時間」が「６８０ｍｓ」で、３回目に計測された「第１の時間」が「７８ｍｓ」で、４回目に計測された「第１の時間」が「６８ｍｓ」で、かつ５回目に計測された「第１の時間」が「９５ｍｓ」であった場合に、処理部３５は、４回目に計測された「６８ｍｓ」が最短時間であると特定する。
【００５１】
次いで、処理部３５は、特定した「６８ｍｓ」との時間に対して、予め規定された「加算時間」を加算して時間（「第２の時間」の一例）を演算する。具体的には、処理部３５は、データ処理用プログラムＤｐに従い、特定した「６８ｍｓ」のＭ＝２倍の「１３６ｍｓ」との時間と、予め規定されている「５００ｍｓ」との時間との合計時間である「６３６ｍｓ」との時間を「加算時間」として演算し、演算した「６３６ｍｓ」を、「６８ｍｓ」に加算して「７０４ｍｓ」との時間（第２の時間）を演算する。
【００５２】
この場合、上記の「５００ｍｓ」との時間は、「予め規定された第３の時間」の一例であって、データ処理装置３が動作しているオペレーティングシステムの仕様等に応じて定められた時間であり、一例として、データ処理装置３による各種データの送受信時に生じ得る遅延時間（バッファリング処理等に起因して遅延する可能性がある時間）を考慮してデータ処理用プログラムＤｐの制作者（測定装置１，２の製造者）によって予め規定されている。
【００５３】
また、上記の「Ｍ」の値（本例では、「Ｍ＝２」）は、「加算時間」の演算に際して、Ｎ回の「第１の処理」によって計測された「第１の時間」のうちの最短時間に対して加えるべき上記の「第３の時間」以外の遅延要素に関するマージンを考慮して規定されている。この「Ｍ」の値については、一例として、各種の値を用いて算出した時間長での「データ取得処理」を実行した結果、測定値データＤ１１，Ｄ１２の取得漏れが生じることのない値のうちで十分に小さな値がデータ処理用プログラムＤｐの制作者（測定装置１，２の製造者）によって特定されて規定されている。なお、この「Ｍ」の値については、「正の整数」であれば、上記の例のような「自然数」に限定されず、「小数」や「分数」を規定することもできる。
【００５４】
なお、本例では、上記の「指定可能な時間間隔の最短時間：第２の時間＝７０４ｍｓ」を決定するステップ５６の処理が「第２の処理」に相当する。この場合、Ｎ＝５回分の「第１の時間」のうちの最短時間（６８ｍｓ）に対して、その最短時間のＭ＝２倍の時間（１３６ｍｓ）および予め規定された時間（５００ｍｓ）の合計時間である加算時間（６３６ｍｓ）を加算する処理については、Ｎ＝５回分の「第１の時間」のうちの最短時間の３倍の時間（２０４ｍｓ）に予め規定された時間（５００ｍｓ）を加算する処理と同意であるため、ステップ５６の処理をそのように実行することもできる。
【００５５】
次いで、処理部３５は、上記のステップ５６（第２の処理）において演算した「７０４ｍｓ」との時間を、表示部３４に表示させている処理条件設定画面の一覧表示内の測定装置１ａにおける「ｃｈ１」の測定値データＤ１１ａの取得周期（「ｃｈ１」の測定結果を示す測定値データＤ１１ａを取得する時間間隔）の設定欄に表示させる（一覧表示内の指定可能な最短の時間間隔の更新：「報知処理」の一例：ステップ５７）。この場合、この設定欄については、上記のステップ５７の実行以前に、空欄、または前回設定値が表示されており、このステップ５７において、前述のステップ５６で演算された「７０４ｍｓ」との時間が表示されることより、使用者は、測定装置１ａにおける「ｃｈ１」の測定値データＤ１１ａの取得周期として指定可能な最短時間が「７０４ｍｓ」であると認識する。
【００５６】
したがって、最短時間の時間間隔で測定値データＤ１１ａを取得させたいときには、「７０４ｍｓ」との時間が表示されている状態で確定操作を行う。この際に、処理部３５は、測定装置１ａにおける「ｃｈ１」の測定値データＤ１１ａを取得する「データ取得処理」の実行時間間隔が指定されたと判別し（ステップ５８）、指定された時間（この例では、「７０４ｍｓ」）が、ステップ５６において演算した「指定可能な時間間隔の最短時間（この例では、「７０４ｍｓ」）」以上であるか否かを判別する（ステップ５９）。この際には、指定された時間と「指定可能な時間間隔の最短時間」とが同じ時間であるため、処理部３５は、指定された時間（７０４ｍｓ）を、測定装置１ａにおける「ｃｈ１」の測定値データＤ１１ａを取得する「データ取得処理」の実行時間間隔として設定して処理条件データＤ２１ａを生成し（ステップ６０）、この処理条件設定処理５０を終了する。
【００５７】
なお、上記の例とは相違するが、例えば、測定システム１００の構成要素以外の通信機器による通信によって「通信ネットワーク」が輻輳状態となっているときには、上記のステップ５４，５５のＮ回の「第１の処理」によって計測される「各第１の時間」のうちの最長時間が想定外に長い時間となることがある。そのような状況下では、上記のステップ５６の「第２の処理」において演算される「第２の時間」が、Ｎ回の「第１の処理」によって計測される「各第１の時間」のうちの最長時間よりも短い時間となることがある。また、「通信ネットワーク」の輻輳状態が改善しないうちに、演算された「第２の時間（実測された「各第１の時間」のうちの最長時間よりも短い時間）」を「実行時間間隔」として設定して「データ取得処理」を実行したときには、測定値データＤ１１，Ｄ１２の取得漏れが生じるおそれがある。
【００５８】
したがって、例えば、想定外の輻輳状態が生じる可能性がある「通信ネットワーク」を使用しているときに、Ｎ回の「第１の処理」によって計測された「各第１の時間」のうちの最長時間と、「第２の処理」において演算された「第２の時間」とを比較し、「第２の時間」が「計測された最長時間」以上のときには、上記のステップ５７の処理時と同様にして「第２の処理」において演算された「第２の時間」を報知すると共に、「第２の時間」が「計測された最長時間」よりも短いときには、「第２の処理」において演算された「第２の時間」に代えて、「計測された最長時間」（または、「計測された最長時間に対して予め規定された極く短い加算時間を加算した時間」）を「第２の時間」として報知する構成を採用することもできる。
【００５９】
一方、上記のステップ５７において設定欄に表示された「７０４ｍｓ」よりも長い時間間隔で測定装置１ａにおける「ｃｈ１」の測定値データＤ１１ａを取得する「データ取得処理」を実行させたいときには、設定欄に表示されている「７０４ｍｓ」との時間を、使用者が希望する任意の時間（例えば、２０００ｍｓ）に変更する。この際に、処理部３５は、「データ取得処理」の実行時間間隔が指定されたと判別し（ステップ５８）、指定された時間（この例では、「２０００ｍｓ」）が「指定可能な時間間隔の最短時間（この例では、「７０４ｍｓ」）」以上であるか否かを判別する（ステップ５９）。この際には、指定された時間が「指定可能な時間間隔の最短時間」よりも長いため、処理部３５は、指定された時間（２０００ｍｓ）を、測定装置１ａにおける「ｃｈ１」の測定値データＤ１１ａを取得する「データ取得処理」の実行時間間隔として設定して処理条件データＤ２１ａを生成し（ステップ６０）、この処理条件設定処理５０を終了する。
【００６０】
この場合、上記のステップ５７において設定欄に「７０４ｍｓ」との時間が表示されて指定可能な時間間隔の最短時間が報知されている状態において、その時間よりも短い時間間隔で「データ取得処理」を実行しなくてはならないこともある。例えば、取得した測定値データＤ１１ａに基づく分析処理において「５００ｍｓ」の時間間隔で取得した測定値データＤ１１ａを必要とするときに、使用者は、設定欄に表示されている「７０４ｍｓ」との時間を「５００ｍｓ」に変更する。この際に、処理部３５は、「データ取得処理」の実行時間間隔が指定されたと判別し（ステップ５８）、指定された時間（この例では、「５００ｍｓ」）が「指定可能な時間間隔の最短時間（この例では、「７０４ｍｓ」）」以上であるか否かを判別する（ステップ５９）。
【００６１】
この際には、指定された時間が「指定可能な時間間隔の最短時間」よりも短いため、処理部３５は、一例として「指定された条件では、測定値データの取得漏れが生じる可能性があります。」とのメッセージを表示させる（ステップ６１）。このメッセージを見た使用者が、メッセージの内容を理解したうえで「５００ｍｓ」の時間間隔での「データ取得処理」を希望するときには、そのまま確定操作を行う。この際に、処理部３５は、確定操作が行われたと判別し（ステップ６２）、指定された時間（５００ｍｓ）を、測定装置１ａにおける「ｃｈ１」の測定値データＤ１１ａを取得する「データ取得処理」の実行時間間隔として設定して処理条件データＤ２１ａを生成し（ステップ６０）、この処理条件設定処理５０を終了する。
【００６２】
また、ステップ６１において表示されたメッセージに従い、使用者が設定欄の時間を変更したとき（確定操作に代えて、時間の変更操作が行われたとき）に（ステップ６２）、処理部３５は、実行時間間隔が変更されたと判別し（ステップ５８）、新たに指定された時間が「指定可能な時間間隔の最短時間」以上であるか否かを判別する（ステップ５９）。この際に、新たに指定された時間が「指定可能な時間間隔の最短時間」以上のときには、指定された時間を、測定装置１ａにおける「ｃｈ１」の測定値データＤ１１ａを取得する「データ取得処理」の実行時間間隔として設定して処理条件データＤ２１ａを生成し（ステップ６０）、この処理条件設定処理５０を終了する。
【００６３】
なお、具体的な操作に関する説明を省略するが、例えば測定装置１ａにおける「ｃｈ１」について「データ取得処理」の処理条件を設定する際には、上記の「実行時間間隔」の指定だけでなく、「ｃｈ１」による測定結果について、どのようなデータ形式の測定値データＤ１１ａを送信させるかについても指定する。この場合、実際の「データ取得処理」に際してバイナリ形式の測定値データＤ１１ａを送信させるときには、事前にそのように指定しておくことで、上記のＮ＝５回の「第１の処理」においてもバイナリ形式の測定値データＤ１１ａの送信を要求する制御コマンドが送信されてバイナリ形式の測定値データＤ１１ａが送信され、実際の「データ取得処理」に際してテキスト形式の測定値データＤ１１ａを送信させるときには、事前にそのように指定しておくことで、上記のＮ＝５回の「第１の処理」においてもテキスト形式の測定値データＤ１１ａの送信を要求する制御コマンドが送信されてテキスト形式の測定値データＤ１１ａが送信される。したがって、計測される「第１の時間」は、実際の「データ取得処理」において測定値データＤ１１ａを取得するのに要する時間に即した時間が計測される。
【００６４】
この後、測定装置１ａにおける「ｃｈ１」以外の測定チャンネルや、測定装置１ａ以外の測定装置１，２の各測定チャンネルに関しても、必要に応じて、上記の例と同様の作業を行うことにより、データ処理装置３のデータストレージ３２には、各測定装置１，２における各測定チャンネル毎の処理条件データＤ２１，Ｄ２２がそれぞれ記録された状態（各各測定装置１，２における各測定チャンネル毎の「データ取得処理」に関する処理条件が設定された状態）となる。
【００６５】
この場合、本例の測定システム１００では、各測定装置２がＬＡＮ２０、インターネットＮおよびＬＡＮ１０を介してデータ処理装置３に接続されている。したがって、各測定装置２についての測定値データＤ１２の「要データ取得時間」は、各測定装置１についての測定値データＤ１１の「要データ取得時間」よりも長い時間となる傾向がある。特に、インターネットＶＰＮを介して測定装置２をデータ処理装置３に接続している場合には、測定値データＤ１２の「要データ取得時間」が非常に長い時間となることがある。また、ＩＰ−ＶＰＮを介して測定装置２をデータ処理装置３に接続している場合であっても、専用通信網の品質やＶＰＮサーバの仕様によっては、測定値データＤ１２の「要データ取得時間」が非常に長い時間となることがある。
【００６６】
しかしながら、本例のデータ処理装置３（データ処理用プログラムＤｐ）では、測定装置２との間で実測した「第１の時間」（Ｎ回分の「第１の時間」のうちの最短時間）に「加算時間」を加算して「第２の時間」を報知するため、どのような環境下であっても、その環境に即した的確な「第２の時間」が演算されて報知される。したがって、「要データ取得時間」が長い時間となる環境下においても、測定値データＤ１２の取得漏れを生じさせることのない実行時間間隔を設定させることが可能となっている。以上により、使用前の準備作業が完了する。
【００６７】
一方、上記の準備作業が完了した後に、予め設定された開始時刻が到来したとき、または、操作部３３の操作によって処理開始が指示されたときに、処理部３５は、通信部３１に記憶されている処理条件データＤ２１，Ｄ２２に従って「データ取得処理」および取得した測定値データＤ１１，Ｄ１２に基づく「測定結果表示処理」を開始する。
【００６８】
例えば、前述の例において測定装置１ａにおける「ｃｈ１」についての処理条件データＤ２１ａに「データ取得処理の実行時間間隔（測定値データＤ１１ａの取得の周期）」として「７０４ｍｓ」との時間が記録されているときに、処理部３５は、「７０４ｍｓ」の時間間隔で、通信部３１から測定装置１ａに対して「ｃｈ１」の測定結果を示す測定値データＤ１１ａの送信を要求する制御コマンドを送信する。この結果、測定装置１ａからデータ処理装置３に「ｃｈ１」の測定結果を示す測定値データＤ１１ａが送信される。
【００６９】
また、送信された、この測定値データＤ１１ａが通信部３１によって受信されたときに、処理部３５は、その測定値データＤ１１ａをデータストレージ３２に記録させると共に、測定値データＤ１１ａに記録されている測定値を表示部３４に表示させる。これにより、測定装置１ａにおける「ｃｈ１」の測定結果が記録された測定値データＤ１１ａが「７０４ｍｓ」の時間間隔でデータストレージ３２に追記され、かつ表示部３４に表示されている測定装置１ａにおける「ｃｈ１」の測定結果が「７０４ｍｓ」の時間間隔で表示替えされる。
【００７０】
この場合、上記の例とは相違するが、測定装置１ａにおける「ｃｈ１」の測定値データＤ１１ａの取得の周期（「データ取得処理」の実行時間間隔）の設定に際して、例えば、Ｎ回の「第１の処理」によって計測された「各第１の時間」のうちの最長時間（上記の例では、「６８０ｍｓ」）に対して「加算時間」を加算する構成を採用した場合、または、そのような最長時間に対して経験則に基づく加算時間を使用者が適宜加算して指定した場合には、設定される実行時間間隔が、データ処理装置３（データ処理用プログラムＤｐ）によって設定された「７０４ｍｓ」との時間よりも長い時間となる可能性が高い。また、例えば、Ｎ回の「第１の処理」によって計測された「各第１の時間」の平均時間（上記の例では、「２００．２ｍｓ」）に対して「加算時間」を加算する構成を採用した場合、または、そのような最長時間に対して経験則に基づく加算時間を使用者が適宜加算して指定した場合にも、設定される実行時間間隔が、「各第１の時間」のうちの最長時間の影響を受けて、データ処理装置３（データ処理用プログラムＤｐ）によって設定された「７０４ｍｓ」との時間よりも長い時間となる。
【００７１】
したがって、Ｎ回の「第１の処理」によって計測された「各第１の時間」のうちの最長時間、または、Ｎ回の「第１の処理」によって計測された「各第１の時間」の平均時間に対して「加算時間」を加算した場合には、短い周期の高精度な測定結果を得るのが困難となるおそれがある。
【００７２】
このように、このデータ処理装置３では、処理部３５が、通信ネットワーク（ＬＡＮ１０や、ＬＡＮ１０、インターネットＮおよびＬＡＮ２０）を介して接続された測定装置１，２から測定値データＤ１１，Ｄ１２を取得する「データ取得処理」の開始に先立ち、「予め規定された開始条件」が満たされたとき（本例では、処理条件の設定対象として任意の測定チャンネルが選択されたとき）に、「予め規定されたデータ（本例では、その時点において測定装置１，２によって生成されている測定値データＤ１１，Ｄ１２）」を測定装置１，２から取得してデータの取得に要した「第１の時間」を計測する「第１の処理」をＮ回（本例では、Ｎ＝５回）実行し、かつＮ回の「第１の処理」によって計測された「各第１の時間」のうちの最短時間に「予め規定された加算時間」を加算して「第２の時間」を演算する「第２の処理」を実行すると共に、「データ取得処理」を繰り返す「予め指定された時間間隔」として指定可能な時間間隔の最短時間として「第２の時間」を報知する「報知処理」を実行する。また、この測定システム１００では、上記のデータ処理装置３と測定装置１，２とを備えて構成されている。また、このデータ処理用プログラムＤｐでは、上記の各処理をデータ処理装置３の処理部３５に実行させる。
【００７３】
したがって、このデータ処理装置３、測定システム１００およびデータ処理用プログラムＤｐによれば、Ｎ回の「第１の処理」によって計測された「各第１の時間（要データ取得時間）」のうちの最短時間、すなわち、実際の使用環境において実際に測定値データＤ１１，Ｄ１２を取得することができた最短時間である「第１の時間」に基づいて演算された「第２の時間」が報知され、この「第２の時間」に基づいて「データ取得処理」の実行時間間隔を設定することができるため、必要以上に大きなマージンが加算された実行時間間隔が指定される事態を好適に回避することができる。また、この種の装置の使用に不慣れな者であっても、充分に短い実行時間間隔を確実かつ容易に指定することができる。これにより、測定値データＤ１１，Ｄ１２の取得漏れを生じさせることなく、充分に短い時間間隔で測定値データＤ１１，Ｄ１２を取得可能な処理条件（処理条件データＤ２１，Ｄ２２）を確実かつ容易に設定させることができる。
【００７４】
また、このデータ処理装置３では、処理部３５が、「第１の処理」において、測定装置１，２に対して「予め規定されたデータ」の送信を要求した時点から、測定装置１，２からの「予め規定されたデータ」を受信した時点までの時間を「第１の時間」として計測する。したがって、このデータ処理装置３、測定システム１００およびデータ処理用プログラムＤｐによれば、設定した処理条件（処理条件データＤ２１，Ｄ２２）に従って実行される「データ取得処理」に際してデータ処理装置３の処理部３５が測定装置１，２に対して測定値データＤ１１，Ｄ１２の送信を要求する制御コマンドを送信する構成を採用しているときに、この制御コマンドのデータ処理装置３から測定装置１，２への送信に要する時間を含んだ「第１の時間」が計測されて「第２の時間」が演算されるため、使用環境毎の制御コマンドの送信に要する時間が考慮された的確な実行時間間隔を確実かつ容易に設定させることができる。
【００７５】
さらに、このデータ処理装置３では、処理部３５が、「第２の処理」において、最短時間のＭ倍（本例では、Ｍ＝３倍）の時間と予め規定された「第３の時間」との合計時間を「加算時間」として「第２の時間」を演算する。したがって、このデータ処理装置３、測定システム１００およびデータ処理用プログラムＤｐによれば、Ｎ回の「第１の処理」によって計測された「各第１の時間」のうちの最短時間に対して、一義的に定めた時間を加算時間として加算して「第２の時間」を演算する構成とは異なり、「実際に計測された「第１の時間」のＭ倍の時間」を加算時間の一部として「第２の時間」を演算している分だけ、使用環境の実状に即した的確な「第２の時間」を演算して報知することができる。
【００７６】
なお、「データ処理装置」および「測定システム」の構成や、「データ処理用プログラム」に記録された処理手順については、データ処理装置３および測定システム１００の構成やデータ処理用プログラムＤｐに記録された処理手順の例に限定されない。例えば、各測定装置１，２からの測定値データＤ１１，Ｄ１２を取得する「データ取得処理」の処理条件の設定に際して、条件を設定する対象が選択されたときに「予め規定された開始条件」が満たされたと判別して（ステップ５３）、Ｎ＝５回の「第１の処理（「予め規定されたデータ」の取得、および「第１の時間の計測」）を実行する構成および処理手順を例に挙げて説明したが、「予め規定された開始条件が満たされたとき」は、上記の例に限定されず、「データ取得処理の処理条件の設定が開始されたとき」、「使用者によってＮ回の第１の処理の実行を指示されたとき」および「データ取得処理の実行時に測定値データの取得漏れが生じたとき」などの各種条件のうちの予め規定された条件が満たされたときにＮ回の「第１の処理」を実行する構成および処理手順を採用することができる。
【００７７】
また、「予め規定されたデータ」として、実際の測定値が記録された測定値データＤ１１，Ｄ１２を測定装置１，２から送信させる構成および処理手順を例に挙げて説明したが、「予め規定されたデータ」として、実際の「測定値データ」以外の任意のデータ（例えば、測定装置に予め記憶させておいたダミーデータ）を送信させる構成および処理手順を採用することもできる。
【００７８】
さらに、データ処理装置３から測定値データＤ１１，Ｄ１２の送信を要求する制御コマンドを送信した時点から、測定装置１，２からの測定値データＤ１１，Ｄ１２が受信される時点までの時間を「第１の時間」として計測する構成および処理手順を例に挙げて説明したが、測定装置１，２のクロックが計時している時刻と、データ処理装置３のクロックが計時している時刻との差を予め取得したり、各クロックを予め正確に同期させたりしたうえで、測定装置１，２が測定値データＤ１１，Ｄ１２の生成を開始した時点から、その測定値データＤ１１，１２がデータ処理装置３によって受信される時点までの時間を「第１の時間」として計測する構成および処理手順や、測定装置１，２が測定値データＤ１１，Ｄ１２をデータ処理装置３に対して送信した時点から、その測定値データＤ１１，１２がデータ処理装置３によって受信される時点までの時間を「第１の時間」として計測する構成および処理手順を採用することもできる。
【００７９】
また、「報知処理」によって報知した「指定可能な最短の時間間隔（上記の例では、「７０４ｍｓ」）よりも短い時間が指定されたときに（ステップ５８，５９）、所定のメッセージを表示させ（ステップ６１）、確定操作が行われたときに（ステップ６２）、報知した時間よりも短い時間を「データ取得処理の実行時間間隔」として設定（確定）させる処理（ステップ６０）を実行する構成を例に挙げて説明したが、「報知処理」によって報知した時間よりも短い時間の指定を拒絶する構成や、「報知処理」によって報知した時間よりも短い時間が指定されたときに、「指定された時間」を「報知した時間」に強制的に変更する構成を採用することもできる。
【００８０】
また、データ処理装置３によって複数の１，２を対象とする「データ取得処理」を実行する例（複数の測定装置１，２を備えて構成された測定システム１００の例）について説明したが、「データ処理装置」が「データ取得処理」を実行する対象の「測定装置」の台数（「測定システム」を構成する「測定装置」の台数）は、この例に限定されず、１台の「データ処理装置」によって１台の「測定装置」を対象として「データ取得処理」を実行する構成（「測定システム」を構成する「データ処理装置」や「測定装置」の台数をそれぞれ１台とする構成）を採用することもできる。
【符号の説明】
【００８１】
１００  測定システム
１ａ〜１ｎ，２ａ〜２ｎ  測定装置
３  データ処理装置
１０，２０  ＬＡＮ
１１，２１  ブロードバンドルータ
３１  通信部
３２  データストレージ
３３  操作部
３４  表示部
３５  処理部
３６  記憶部
５０  処理条件設定処理
Ｄ０１ａ〜Ｄ０１ｎ，Ｄ０２ａ〜Ｄ０２ｎ  機器データ
Ｄ１１ａ〜Ｄ１１ｎ，Ｄ１２ａ〜Ｄ１２ｎ  測定値データ
Ｄ２１ａ〜Ｄ２１ｎ，Ｄ２２ａ〜Ｄ２２ｎ  処理条件データ
Ｄｐ  データ処理用プログラム
Ｎ  インターネット
【図１】
2020003902.tif 000003
【図２】
2020003902.tif 000004